(57)【特許請求の範囲】
【請求項１】
開口部を有する筐体本体と前記開口部を閉じる扉とを備えた樹脂製の筐体であって、
前記開口部から奥に伸びるように前記筐体本体の内側に一体的に設けられたリブと、
前記筐体本体に一体的に前記開口部の一辺の一端、他端にそれぞれ設けられた一対の軸受部に支持され、前記開口部の前記一辺に亘って設けられて前記扉の回転軸となる軸部材と、
を有し、前記リブは前記一対の軸受部の間に設けられてあり、前記軸部材と前記リブとが当接することにより前記筐体の内反りが矯正される
ことを特徴とする筐体。
【請求項２】
前記軸部材の延伸方向に前記リブの複数が並ぶことを特徴とする請求項１に記載の筐体。
【請求項３】
請求項１又は２に記載の筐体を備えることを特徴とするタイムレコーダ。
【発明の詳細な説明】
【技術分野】
【０００１】
本発明は、樹脂製の筐体及びこれを備えたタイムレコーダに関する。
【背景技術】
【０００２】
電子機器では、射出成形によってバケツ状に形成された樹脂製の筐体を用いたものがある。例えば、タイムレコーダでは、筐体内に印字ヘッド、インクリボン等の消耗品を格納し、また、タイムカードの段送り機構を備えており、消耗品の交換の際や、タイムカードが詰まった際には筐体を開く必要があり、このような広い開口部を備えた筐体が用いられている。
【０００３】
このような樹脂製の筐体では、奥から開口部の周縁に近づくにつれて内反りが生じてしまうため、その矯正のための構造が必要であった。
【０００４】
例えば、特許文献１には、突出する嵌合ガイドを備えたカバーを用い、開口部に嵌合ガイドを嵌め込み、嵌合ガイドによって開口部を外側に押し広げて内反りを矯正する筐体が開示されている。
【０００５】
また、特許文献２には、樹脂製の筐体と一体的に成形されて開口部の奥に伸びる２本のリブに交差するように、補強リブを取り付けて筐体の歪を防止する筐体が開示されている。
【特許文献１】特開平１１−４６０７３号公報
【特許文献２】特開平２００３−３０９３７９号公報
【発明の開示】
【発明が解決しようとする課題】
【０００６】
しかしながら、特許文献１のものは、開口部に扉を備えた筐体には適用できないという問題があった。つまり、開口部において互いに対向する筐体の側壁の両方に嵌合ガイドを当接させるため、これら側壁の一方に回転軸を設けてこれら側壁の並び方向に開閉する扉としてカバーを取り付けようとしても、これは嵌合ガイドと側壁とが干渉するためできない。このため、特許文献１のものは、タイムレコーダの筐体のように開口部に扉を要するものには不向きであった。
【０００７】
また、特許文献２のものは、筐体に補強リブを取り付けるため、部品点数、工数の増加という問題があった。
【０００８】
そこで、本発明の目的は、扉を備えた筐体及びこれを用いるタイムレコーダにあって、部品点数、工数の増加を伴わずに筐体の反りを矯正することにある。
【課題を解決するための手段】
【０００９】
上記目的を達成するため、本発明の第１の観点の筐体は、
開口部を有する筐体本体と前記開口部を閉じる扉とを備えた樹脂製の筐体であって、
前記開口部から奥に伸びるように前記筐体本体の内側に一体的に設けられたリブと、
前記筐体本体に一体的に前記開口部の一辺の一端、他端にそれぞれ設けられた一対の軸受部に支持され、前記開口部の前記一辺に亘って設けられて前記扉の回転軸となる軸部材と、
を有し、前記リブは前記一対の軸受部の間に設けられてあり、前記軸部材と前記リブとが当接することにより前記筐体の内反りが矯正される
ことを特徴とする。
【００１０】
また、本発明の第１の観点の筐体は、前記軸部材の延伸方向に前記リブの複数が並ぶように構成することも好ましい。
【００１１】
本発明の第２の観点のタイムレコーダは、本発明の第１の観点の筐体を備えることを特徴とする。
【発明の効果】
【００１２】
本発明の第１の観点の筐体及び第２の観点のタイムレコーダでは、扉の回転軸となる軸部材と筐体の開口部から奥に伸びるように設けられたリブとを当接させることによって筐体の内反りを矯正する。このため、部品点数、工数の増加をなく筐体の内反りを矯正することができる。
【発明を実施するための最良の形態】
【００１３】
以下、この発明の実施の形態に係るタイムレコーダについて説明する。
【００１４】
本発明の実施の形態に係るタイムレコーダは、図１に示すような筐体１を用いる。筐体１は、射出成形によってバケツ状に形成された樹脂製の筐体本体２と、同様に射出成形による樹脂製の扉３とを、軸部材４により連結してなる。図２にタイムレコーダの正面図を示す。タイムレコーダは扉３に表示部５と、操作ボタン６〜６とを設けてある。
【００１５】
図１に示すように、筐体本体２は、バケツ状に形成され、換言すれば、略直方体の一面（正面）に開口部２ａを有する。また、図３に筐体本体２を正面からみた設計上の状態、すなわち、内反りのない状態を示す。筐体本体２は、開口部３の奥に後述する印字ヘッド等からなる機械体を収納する。図１に向かって左側の筐体本体２の側壁２ｂの内側には、開口部２ａから奥に伸びるように筐体本体２と一体的に３本のリブ２ｃ〜２ｃが形成されている。
【００１６】
また、側壁２ｂには、開口部２ａの一辺の略上端、下端にそれぞれ軸受部２ｄ、２ｅが筺体本体２と一体的に形成されている。軸受部２ｄ、２ｅは、開口部２ａから奥に伸びるように筐体本体２と一体的に形成されたリブ２ｆ、２ｇを貫通するように設けられている。
【００１７】
側壁２ｂは、図４に示すように右側の筐体本体２の側壁２ｈに対してリブ２ｆ、２ｇの間の部分がタイムレコーダの正面に向かって突出した突出部２ｂ１となっている。
【００１８】
また、筐体本体２の上面には図示しないタイムカードを筐体１の内部に挿入するための挿入口２ｉが設けられている。
【００１９】
扉３は、浅いバケツ状に形成され、換言すれば、略直方体の一面（背面）に開口部３ａを有する。開口部３ａの裏側がタイムレコーダの正面となる。また、図５に扉３を背面からみた状態を示す。なお、扉３については、奥行きが浅いため筺体本体２のような内反りの問題は生じない。図１に向かって右側の扉３の側壁３ｂには、開口部３ａの略上端、下端にそれぞれ軸受部３ｃ、３ｄが扉３と一体的に形成されている。軸受部３ｃ、３ｄは、開口部３ａから奥に伸びるように扉３と一体的に形成されたリブ３ｅ、３ｆを貫通するように設けられている。
【００２０】
側壁３ｂは、図４に示すように左側の扉３の側壁３ｇに対して、リブ３ｅ、３ｆの間の部分がタイムレコーダの正面に向かって切り欠けた切欠部３ｂ１となっている。扉３を閉じたときには切欠部３ｂ１に突出部２ｂ１が嵌まり込むようになっている。
【００２１】
また、扉３は、側壁３ｂのリブ３ｅ、３ｆの上側、下側に対応してタイムレコーダの背面に向かって突出する突出部３ｂ２、３ｂ３を有する。これに対応して筐体本体２には逃げ部２ｂ２、２ｂ３が設けられている。タイムレコーダの上面から見て、突出部３ｂ２、３ｂ３と、逃げ部２ｂ２、２ｂ３とは、軸部材４の軸心を中心とする円弧部を有し、これらの部分で互いに嵌り合う。
【００２２】
また、扉３は、側壁３ｇの内側に開口部３ａから奥に伸びるように扉３と一体的に形成された３本のリブ３ｈ〜３ｈを有する。リブ３ｈ〜３ｈはその一部が扉３からタイムレコーダの背面に向かって突出する。
【００２３】
また、扉３は、表示部５を露出させるための窓部３ｉを有する。
【００２４】
軸部材４はステンレス鋼等の金属材料から形成される。これにより、軸部材４の剛性を筺体本体２の側壁２ｂのそれより高いものとしてある。扉３のリブ３ｅ、３ｆで筺体本体２のリブ２ｆ、２ｇを挟むようにして扉３と筺体本体２とを配置し、軸受部２ｄ、２ｅと軸受部３ｃ、３ｄとを位置合わせして、これらの軸受部に軸部材４をタイムレコーダの上面から通して扉３と筺体本体２とを連結する。
【００２５】
筐体１の内部には、図６に示すように、筐体本体２の内側には機械体７が取り付けられ、扉３の内側に表示部５を搭載し、操作ボタン６に押圧される図示しないスイッチ基板等を搭載した制御基板８が取り付けられ、タイムレコーダとして完成する。機械体７は、キャリッジに搭載された印字ヘッド７ａ、インクリボンカセット７ｂ、キャリッジ駆動用モータ７ｃ、図示しないタイムカードの送り機構及びそのための段送りモータ７ｄ等からなる。機械体７に取り付けられた図示しない、キャリッジ駆動用モータ７ｃ、段送りモータ７ｄの駆動回路やタイムカードの検出用等の各種センサの入力又は出力部は信号線７ｅにより制御基板８に接続されて、制御基板８により制御される。また、制御基板８は電源ケーブル７ｆにより筐体本体２の内側に取り付けられた図示しない電源回路と接続される。
【００２６】
以上のように構成された筐体１及びタイムレコーダでは、軸受部２ｄ、２ｅ、３ｃ、３ｄによって支持された軸部材４は、筺体本体２の側壁２ｂのリブ２ｃ〜２ｃと当接する。図７に示すように筺体本体２の側壁２ｂ、２ｈには、奥から開口部２ａの周縁に近づくにつれて内反りが生じている。図８に示すように、軸部材４が側壁２ｂのリブ２ｃ〜２ｃと当接して側壁２ｂを外側に押し開くことによって側壁２ｂの内反りを矯正する。
【００２７】
なお、図８では、側壁２ｈの内反りが矯正された状態となっている。これは、扉３が閉じたときに側壁３ｇのリブ３ｈ〜３ｈが側壁２ｈに内側から当接して側壁２ｈを外側に押し開くことによって側壁２ｈの内反りを矯正した状態を示している。
【００２８】
また、リブ２ｃ〜２ｃ及びリブ３ｈ〜３ｈは、側壁２ｂ、２ｈの上下方向の中央に近づくにつれて内反りが大きくなるため、それに応じて中央部分に適当な間隔で設けられる。また、これらリブは３本に限らず、内反りする範囲に応じて適当な数だけ設ければよい。
【００２９】
以上のように本発明の実施の形態に係るタイムレコーダの筺体１は、筺体本体２に扉３を設けるにあたり、筺体本体２の一方の側壁２ｂの内反りを扉３の回転軸となる軸部材４を側壁２ｂのリブ２ｃ〜２ｃに当接させることによって矯正し、筺体本体２の他方の側壁２ｈの内反りを扉３の側壁３ｇのリブ３ｈ〜３ｈを側壁２ｈに当接させることによって矯正する。このように、内反りを矯正するための部品を筺体１に別途取り付けることがなく、部品点数、工数の増加をなく筐体１の内反りを矯正することができる。
【図面の簡単な説明】
【００３０】
【図１】本発明の実施の形態にかかるタイムレコーダの筐体を示す斜視図である。
【図２】本発明の実施の形態にかかるタイムレコーダの正面図である。
【図３】実施の形態にかかるタイムレコーダの筐体本体の正面図である。
【図４】本発明の実施の形態にかかるタイムレコーダの筐体を分解した状態の斜視図である。
【図５】実施の形態にかかるタイムレコーダの扉の背面図である。
【図６】本発明の実施の形態にかかるタイムレコーダの扉を開いた状態を示す斜視図である。
【図７】実施の形態にかかるタイムレコーダの筐体本体の内反り矯正前の状態を示す正面図である。
【図８】実施の形態にかかるタイムレコーダの筐体本体の内反り矯正後の状態を示す正面図である。
【符号の説明】
【００３１】
１    筐体
２    筐体本体
３    扉
４    軸部材
２ｃ  リブ
【図１】
0004597915.tif 000002
【図２】
0004597915.tif 000003
【図３】
0004597915.tif 000004
【図４】
0004597915.tif 000005
【図５】
0004597915.tif 000006
【図６】
0004597915.tif 000007
【図７】
0004597915.tif 000008
【図８】
0004597915.tif 000009